(57)【要約】【課題】製品のデザインを繰り返し変更可能な容器入り製品を提供する。【解決手段】容器に製剤を封入した容器入り製品であって、エアゾール缶１０と、両面に夫々異なる情報が印刷されているシート２０とを備え、シート２０は、表側に向ける面を反転可能な状態で、エアゾール缶１０に取り付けられている。【選択図】図４
2020093809.tif 000002
【特許請求の範囲】
【請求項１】
容器に製剤を封入した容器入り製品であって、
容器本体と、
両面に夫々異なる情報が印刷されているシートと
を備え、
前記シートは、表側に向ける面を切替可能な状態で、前記容器本体に取り付けられている容器入り製品。
【請求項２】
前記容器本体は、略円筒形状をなし、
前記シートは、前記容器本体の周方向に沿って巻き付けられる帯状体であり、その一端部に、前記容器本体に固着する固着領域が設けられ、前記固着領域と隣接して両面に再剥離性の粘着層が形成された保持領域が設けられ、
前記シートの第一面を表側に向けるとき、前記シートは、前記固着領域と前記保持領域とが前記容器本体の周方向に配列するように、所定の向きで前記容器本体に巻き付けられ、前記シートの他端部が前記保持領域に重なって前記第一面に形成された粘着層に粘着保持され、
前記シートの第二面を表側に向けるとき、前記シートは、前記固着領域と前記保持領域との間で折り返されるように、前記所定の向きの逆向きで前記容器本体に巻き付けられ、前記他端部が前記保持領域に重なって前記第二面に形成された粘着層に粘着保持される請求項１に記載の容器入り製品。
【請求項３】
前記製剤は、害虫防除製剤であり、
前記シートの何れか一方の面には、防除対象の害虫の図柄を含む広告情報が印刷され、
他方の面には、前記害虫の図柄を含まない、又は前記広告情報の害虫の図柄より視認性を抑えた害虫の図柄を含む図柄等表示情報が印刷されている請求項１又は２に記載の容器入り製品。
【請求項４】
前記容器本体には、製品表示情報が印刷されており、
前記シートは、何れの面を表側に向けた状態でも、前記製品表示情報を視認可能な透過領域を有する請求項１〜３の何れか一項に記載の容器入り製品。
【請求項５】
前記シートの両面に製品表示情報が印刷されている請求項１〜３の何れか一項に記載の容器入り製品。
【発明の詳細な説明】
【技術分野】
【０００１】
本発明は、容器に製剤を封入した容器入り製品に関する。
【背景技術】
【０００２】
エアゾール製品、スプレー製品、ボトル製品、缶製品などの容器入り製品は、スーパーマーケットやドラッグストア等の店頭では、消費者の注目を惹くように派手で目立つデザインとすることが望ましい場合がある。一方、容器入り製品は、室内で使用されることが多いため、購入後に室内空間に置いたときには、違和感のないデザインが好まれる傾向がある。
【０００３】
従来の容器入り製品として、表面がシュリンクフィルムで覆われた缶があった（例えば、特許文献１を参照）。特許文献１に記載されている缶は、その表面に色や絵柄が付されているものであるが、開封前は缶表面がシュリンクフィルムで覆われているため、色や絵柄は隠れて見えないようになっている。そして、消費者がシュリンクフィルムを剥がすことで、缶に付されている色や絵柄が露出し、製品のデザインを変更することができる。
【先行技術文献】
【特許文献】
【０００４】
【特許文献１】特開平３−１７６３６０号公報
【発明の概要】
【発明が解決しようとする課題】
【０００５】
容器に害虫防除製剤を封入した容器入り製品には、ゴキブリ類、蚊類、及びハエ類などの様々な種類の害虫を防除対象とした製品がある。消費者が防除対象の害虫が異なる製品を追加で購入した場合、それまで室内空間に置いたときに違和感のないデザインで使用していた容器入り製品であっても、防除対象の害虫を容易に確認できるデザインに変更することが望ましい場面もある。
【０００６】
この点に関し、特許文献１の包装缶は、缶を覆っているシュリンクフィルムを剥がすことでデザインを変更するものであるため、一度シュリンクフィルムを剥がした後に、缶のデザインを容易に再度変更できるものではなかった。
【０００７】
本発明は、上記問題点に鑑みてなされたものであり、製品のデザインを繰り返し変更可能な容器入り製品を提供することを目的とする。
【課題を解決するための手段】
【０００８】
上記課題を解決するための本発明に係る容器入り製品の特徴構成は、
容器に製剤を封入した容器入り製品であって、
容器本体と、
両面に夫々異なる情報が印刷されているシートと
を備え、
前記シートは、表側に向ける面を切替可能な状態で、前記容器本体に取り付けられていることにある。
【０００９】
本構成の容器入り製品によれば、両面に夫々異なる情報が印刷されているシートが、表側に向ける面を切替可能な状態で容器本体に取り付けられているため、表側に向ける面を適宜切り替えることで、室内空間の雰囲気や消費者の好みに応じて製品のデザインを繰り返し変更することができる。
【００１０】
本発明に係る容器入り製品において、
前記容器本体は、略円筒形状をなし、
前記シートは、前記容器本体の周方向に沿って巻き付けられる帯状体であり、その一端部に、前記容器本体に固着する固着領域が設けられ、前記固着領域と隣接して両面に再剥離性粘着層が形成された保持領域が設けられ、
前記シートの第一面を表側に向けるとき、前記シートは、前記固着領域と前記保持領域とが前記容器本体の周方向に配列するように、所定の向きで前記容器本体に巻き付けられ、前記シートの他端部が前記保持領域に重なって前記第一面に形成された前記再剥離性粘着層に粘着保持され、
前記シートの第二面を表側に向けるとき、前記シートは、前記固着領域と前記保持領域との間で折り返されるように、前記所定の向きの逆向きで前記容器本体に巻き付けられ、前記他端部が前記保持領域に重なって前記第二面に形成された前記再剥離性粘着層に粘着保持されることが好ましい。
【００１１】
本構成の容器入り製品によれば、シートを所定の向きで容器本体に巻き付けて第一面を表側に向けた状態と、シートを所定の向きの逆向きで容器本体に巻き付けて第二面を表側に向けた状態とに、シートの状態を切り替えることができる。このように、容器本体にシートを巻き付けるという簡単な方法で、室内空間の雰囲気や消費者の好みに応じて製品のデザインを繰り返し変更することができる。
【００１２】
本発明に係る容器入り製品において、
前記製剤は、害虫防除製剤であり、
前記シートの何れか一方の面には、防除対象の害虫の図柄を含む広告情報が印刷され、
他方の面には、前記害虫の図柄を含まない、又は前記広告情報の害虫の図柄より視認性を抑えた害虫の図柄を含む図柄等表示情報が印刷されていることが好ましい。
【００１３】
本構成の容器入り製品によれば、広告情報が印刷された面を表側に向けた場合、広告情報に含まれる害虫の図柄により防除対象の害虫を容易に確認することができるため、製品の販売時においては、消費者に商品購入のための判断材料を提供することができる。一方、図柄等表示情報が印刷された面を表側に向けた場合、図柄等表示情報には、害虫の図柄が含まれない、又は広告情報における害虫の図柄より視認性を抑えた害虫の図柄が含まれるため、製品の保管時又は使用時においては、消費者に防除対象の害虫を強く想起させることを防ぐことができ、調和した環境で製品を使用することができる。
【００１４】
本発明に係る容器入り製品において、
前記容器本体には、製品表示情報が印刷されており、
前記シートは、何れの面を表側に向けた状態でも、前記製品表示情報を視認可能な透過領域を有することが好ましい。
【００１５】
容器入り製品には、成分、使用方法、使用上の注意などの必要な情報を常に表示しておく必要があるが、本構成の容器入り製品によれば、シートが何れの面を表側に向けた状態でも製品表示情報を視認可能な透過領域を有するため、消費者がシートの表側に向ける面を好みに応じて切り替えた場合にも、容器本体に印刷されている製品表示情報を常に視認できる状態にしておくことができる。
【００１６】
本発明に係る容器入り製品において、
前記シートの両面に製品表示情報が印刷されていることが好ましい。
【００１７】
本構成の容器入り製品によれば、シートの両面に製品表示情報が印刷されているため、消費者がシートの表側に向ける面を好みに応じて切り替えた場合にも、製品表示情報を常に視認できる状態にしておくことができる。
【図面の簡単な説明】
【００１８】
【図１】図１は、第一面を表側に向けた本発明に係る容器入り製品の斜視図である。
【図２】図２は、第二面を表側に向けた本発明に係る容器入り製品の斜視図である。
【図３】図３は、容器入り製品の側面の分解展開図である。
【図４】図４は、容器入り製品におけるシートの反転操作を説明する斜視図である。
【図５】図５は、容器入り製品におけるシートの反転操作を説明する端面図である。
【図６】図６は、構成例１に係る殺虫エアゾール製品の側面の分解展開図である。
【図７】図７は、構成例２に係る殺虫エアゾール製品の側面の分解展開図である。
【発明を実施するための形態】
【００１９】
以下、本発明の容器入り製品に関する実施形態について説明する。ただし、本発明は、以下に説明する実施形態や図面に記載される構成に限定されることを意図しない。
【００２０】
＜容器入り製品＞
図１及び図２は、本発明に係る容器入り製品の斜視図である。図１及び図２において、（ａ）は容器入り製品の正面側を示し、（ｂ）は背面側を示している。図３は、図１及び図２に示した容器入り製品の側面の分解展開図である。本発明の容器入り製品は、例えば、エアゾール製品、スプレー製品、ボトル製品、缶製品などが挙げられるが、図１及び図２では、容器入り製品として、ゴキブリ用の殺虫エアゾール製品１００を例示している。殺虫エアゾール製品１００は、その内部に封入された製剤である殺虫剤、防虫剤、及び忌避剤等の害虫防除製剤を噴射剤とともに害虫に向けて噴射することで害虫を殺虫するものであり、容器本体であるエアゾール缶１０と、エアゾール缶１０の表面に巻き付けられたシート２０とを備える。シート２０は、一端部がエアゾール缶１０の表面に固定されており、製品を上方から見て右回りと、左回りとに巻き替える反転操作により、図１に示す第一面２０Ａを表側に向けた状態と、図２に示す第二面２０Ｂを表側に向けた状態とで、表側に向ける面を切り替えることができる。
【００２１】
〔容器本体〕
容器本体であるエアゾール缶１０は、略円筒形状をなし、製剤が貯留される貯留部としての耐圧容器１０ａと、製剤を放出する放出部としての噴射ボタン１０ｂとを備える。図３に示すように、エアゾール缶１０（耐圧容器１０ａ）には、製品表示情報１１が印刷されている。製品表示情報１１とは、商品名、当該製品の特長、成分、効能、使用方法、使用上の注意、製造者情報、製品識別情報（バーコード、ＱＲコード（登録商標）等）などの情報である。製品表示情報１１は、当該製品の購入者が必要とする情報であるため、常に視認可能な状態とされている。製品表示情報１１は、図３に示すように、エアゾール缶１０の高さ方向に延伸する垂線Ｙに沿うように印刷されていることが好ましい。これは、後述するシート２０の位置合わせを容易にするためである。
【００２２】
〔シート〕
シート２０は、エアゾール缶１０（耐圧容器１０ａ）に巻き付けられる帯状体である。シート２０は、その両面に夫々異なる情報が印刷されていることで、図１に示す第一面２０Ａを表側に向けた状態と、図２に示す第二面２０Ｂを表側に向けた状態とで、殺虫エアゾール製品１００のデザインを変更することができる。シート２０の素材としては、ポリスチレン（ＰＳ）、ポリ塩化ビニル（ＰＶＣ）、ポリエチレン（ＰＥ）、ポリエチレンテレフタレート（ＰＥＴ）、ポリプロピレン（ＰＰ）などの熱可塑性樹脂、及び紙等が用いられる。本実施形態に係る殺虫エアゾール製品１００では、透明な樹脂フィルムを基材としてシート２０を構成している。
【００２３】
図３（ａ）は、シート２０の第一面２０Ａを表側に向けた状態を示し、図３（ｂ）は、シート２０の第二面２０Ｂを表側に向けた状態を示す。シート２０は、一端部に設けられた固着領域２１と、固着領域２１に隣接する保持領域２２と、固着領域２１及び保持領域２２を除いた被覆領域２６とを有する。
【００２４】
固着領域２１は、エアゾール缶１０に固着する領域であり、図３に示す例では、第二面２０Ｂ側に塗布された接着剤２１Ａによって、エアゾール缶１０のＡ−Ｂの区間において破線Ｂに沿って固着する。シート２０は、固着領域２１からエアゾール缶１０の周方向左側へ向けて、即ち、製品を上方から見て右回りに巻くこと（以下、「右巻き」と称する。）で、図３（ａ）に示す第一面２０Ａを表側に向けた状態となり、固着領域２１からエアゾール缶１０の周方向右側へ向けて、即ち、製品を上方から見て左回りに巻くこと（以下、「左巻き」と称する。）で、図３（ｂ）に示す第二面２０Ｂを表側に向けた状態となる。
【００２５】
保持領域２２は、第一面２０Ａ側に粘着層２２Ａが形成され、第二面２０Ｂ側に粘着層２２Ｂが形成された領域である。粘着層２２Ａ、２２Ｂは、粘着力を抑えることで再剥離性を有する粘着剤を用いて形成されており、糊残りをほとんど生じさせることなく容易に粘着、剥離を繰り返すことができる。保持領域２２は、図３（ａ）に示すように、第一面２０Ａを表側に向けた状態では、エアゾール缶１０の周方向に沿って固着領域２１の左側に配列し、粘着層２２Ｂによりエアゾール缶１０に粘着する。一方、第二面２０Ｂを表側に向けた状態では、保持領域２２は、固着領域２１との境界線で折り返され、粘着層２２Ａにより固着領域２１上に粘着する。なお、図３（ｂ）は第二面２０Ｂを表側に向けた状態であるが、固着領域２１と粘着層２２との間の折り返しを展開して図示している。
【００２６】
被覆領域２６は、エアゾール缶１０の外周と同じ長さに構成されており、右巻き及び左巻きの何れの場合にも、エアゾール缶１０を全周に亘って被覆する。第一面２０Ａを表側に向けてシート２０をエアゾール缶１０に巻き付けた図３（ａ）の状態では、シート２０の被覆領域２６側の端部は、エアゾール缶１０のＡ−Ｂの区間において、固着領域２１及び保持領域２２が並列した幅Ｄ１の領域に重なり、保持領域２２上で粘着層２２Ａに粘着されて保持される。第二面２０Ｂを表側に向けてシート２０をエアゾール缶１０に巻き付けた図３（ｂ）の状態では、シート２０の被覆領域２６側の端部は、エアゾール缶１０のＡ−Ｂの区間において、固着領域２１及び保持領域２２が折り重なった幅Ｄ１の半分の幅Ｄ２の領域に重なり、保持領域２２上で粘着層２２Ｂに粘着されて保持される。このため、シート２０は、第一面２０Ａを表側に向けた状態、及び第二面２０Ｂを表側に向けた状態の何れの状態でも、エアゾール缶１０への巻き付けが容易に解けることがない。ここで、粘着層２２Ａ、２２Ｂは、保持領域２２の下端に三角形の余白を残すように形成されている。これにより、シート２０の被覆領域２６側の端部の下端は、右巻き及び左巻きの何れの状態でも保持領域２２に粘着せず、シート２０を巻き替える反転操作において消費者が摘まみやすいタブ部２６ａ、２６ｂとなる。
【００２７】
図３（ａ）に示すように、被覆領域２６の第一面２０Ａには、防除対処の害虫であるゴキブリの図柄を含む広告情報２３が印刷されている。広告情報２３とは、当該製品の販売時に消費者の注目を惹かせるための情報であり、ゴキブリの図柄の他に、商品名、図柄、模様などの情報が含まれる。広告情報２３には、これらの情報の他に、エアゾール缶１０に印刷されている製品表示情報１１と同じ情報（すなわち、商品名、製品の特長、成分、効能、使用方法、使用上の注意、製造者情報、製品識別情報など）が含まれていてもよい。
【００２８】
図３（ｂ）に示すように、被覆領域２６の第二面２０Ｂには、図柄等表示情報２４が印刷されている。図柄等表示情報２４には、主に図柄や模様に関する情報（本実施形態の場合、ゴキブリの図柄と水玉の模様が配列したもの）が含まれているが、図柄や模様以外に文字などの情報（本実施形態の場合、製造者情報）が含まれていてもよい。図柄等表示情報２４には複数のゴキブリの図柄が含まれているが、図柄等表示情報２４における夫々のゴキブリの図柄は、広告情報２３に含まれるゴキブリの図柄よりも視認性を抑えるために、広告情報２３に含まれるゴキブリの図柄よりも小さいサイズに構成されている。ここで、視認性を抑えるためには、図柄等表示情報２４に含まれる夫々のゴキブリの図柄は、広告情報２３に含まれるゴキブリの図柄に対して面積比で２５％以下のサイズとすることが好ましい。なお、図柄等表示情報２４において、害虫の図柄の視認性を抑えるためには、広告情報２３に含まれる害虫の図柄よりも彩度を抑えた害虫の図柄を用いてもよい。図柄等表示情報２４は、室内空間の雰囲気を乱さないように落ち着いたデザインに構成されることが好ましい。なお、広告情報２３、及び図柄等表示情報２４が印刷されている領域は、図柄や模様等が全体に印刷されている場合は不透明となるが、シート２０を樹脂製のフィルムで構成し、当該領域の一部に印刷を行うことで透明ないし半透明の領域を残しておくことも可能である。なお、広告情報２３、及び図柄等表示情報２４は、必ずしもシート２０に直接印刷する必要はなく、例えば、広告情報２３や図柄等表示情報２４をラベルに印刷して、このラベルをシート２０に貼り付けてもよい。このような印刷物をシート２０に貼り付ける形態は、広告情報２３、及び図柄等表示情報２４の間接的な印刷と見なすことが可能であり、本発明においては、シート２０への広告情報２３、及び図柄等表示情報２４の印刷の一形態として包含する。
【００２９】
広告情報２３、及び図柄等表示情報２４は、夫々第一面２０Ａ及び第二面２０Ｂにおいて表裏となる位置に印刷されており、被覆領域２６において、広告情報２３及び図柄等表示情報２４が印刷されていない領域は、透明ないし半透明な透過領域２５として形成されている。図３に示す例では、エアゾール缶１０には、図３（ａ）の第一面２０Ａを表側に向けた状態、及び図３（ｂ）の第二面２０Ｂを表側に向けた状態で、広告情報２３及び図柄等表示情報２４が重なるＣ−Ｄの区間を避けて、Ｂ−Ｃの区間、及びＤ−Ａの区間に製品表示情報１１が印刷されている。このため、図３（ａ）の第一面２０Ａを表側に向けた状態、及び図３（ｂ）の第二面２０Ｂを表側に向けた状態の何れの状態でも、透過領域２５を通してエアゾール缶１０に印刷されている製品表示情報１１を視認することができる。
【００３０】
以上の構成により、殺虫エアゾール製品１００は、シート２０の第一面２０Ａを表側に向けた状態と、シート２０の第二面２０Ｂを表側に向けた状態とに、シート２０の状態を適宜切り替えることができる。第一面２０Ａを表側に向けた場合、第一面２０Ａに印刷されている広告情報２３には、ゴキブリの図柄が含まれるため、防除対象の害虫を容易に確認することができ、製品の販売時においては、消費者に商品購入のための判断材料を提供することができる。一方、第二面２０Ｂを表側に向けた場合、第二面２０Ｂに印刷されている図柄等表示情報２４では、ゴキブリの図柄が小さいサイズに構成されているため、製品の保管時又は使用時においては、消費者に防除対象の害虫を強く想起させることを防ぐことができ、調和した環境で製品を使用することができる。このように、殺虫エアゾール製品１００は、エアゾール缶１０にシート２０を巻き付けるという簡単な方法で、室内空間の雰囲気や消費者の好みに応じて製品のデザインを繰り返し変更することができる。
【００３１】
〔デザインの変更方法〕
殺虫エアゾール製品１００は、シート２０の反転操作によって、デザインを変更することができる。殺虫エアゾール製品１００におけるシート２０の反転操作を説明する。図４は、殺虫エアゾール製品１００におけるシート２０の反転操作を説明する斜視図である。図５は、殺虫エアゾール製品１００におけるシートの反転操作を説明する端面図である。
【００３２】
図４（ａ）に示す第一面２０Ａを表側に向けた状態では、図５（ａ）の製品を上方から見た端面図で示すように、シート２０が固着領域２１から右回りにエアゾール缶１０へ巻き付けられており、保持領域２２は、固着領域２１と並んで粘着層２２Ｂによりエアゾール缶１０に粘着している。また、シート２０は、保持領域２２の上で二重になって、端部が粘着層２２Ａにより保持されている。この状態で、殺虫エアゾール製品１００は、第一面２０Ａに印刷されている広告情報２３に含まれるゴキブリの図柄により、防除対象の害虫を容易に確認することができるデザインとなっている。
【００３３】
図４（ａ）に示す状態から、タブ部２６ａを摘まんでシート２０の端部を剥がすことにより、図４（ｂ）及び図５（ｂ）に示すように、固着領域２１及び保持領域２２を露出させることができる。さらに、シート２０の巻き付けを解くことで、図４（ｃ）及び図５（ｃ）に示すように、エアゾール缶１０の表面が露出した状態となる。
【００３４】
図４（ｃ）及び図５（ｃ）の状態から、シート２０をエアゾール缶１０に左巻きに巻き付け続けると、粘着層２２Ｂがエアゾール缶１０から剥離した後、図４（ｄ）及び図５（ｄ）に示すように、固着領域２１と保持領域２２との間で折り返されて、粘着層２２Ｂが表側に露出することになる。この時、保持領域２２が粘着層２２Ａにより固着領域２１に粘着することで、エアゾール缶１０へのシート２０の巻き付けが緩み難くなる。
【００３５】
さらに、シート２０の端部を、保持領域２２に重ねて、粘着層２２Ｂに保持させることで、図４（ｅ）及び図５（ｅ）に示すように、シート２０が固着領域２１から左回りにエアゾール缶１０へ巻き付けられ、第二面２０Ｂを表側に向けた状態へ切り替える反転操作が完了する。この状態では、殺虫エアゾール製品１００は、第二面２０Ｂに印刷されている図柄等表示情報２４に含まれるゴキブリの図柄が小さいサイズに構成されているため、製品の保管時又は使用時においては、消費者に防除対象の害虫を強く想起させることを防ぐことができ、調和した環境で製品を使用することができる。
【００３６】
また、反転操作は、図４（ｅ）及び図５（ｅ）に示す状態でタブ部２６ｂを摘まんでシート２０を剥がし、上述の手順と逆の手順で実行し、図４（ａ）及び図５（ａ）に示す状態に切り替えることも可能である。このように、エアゾール缶１０にシート２０を巻き付けるという簡単な方法で、殺虫エアゾール製品１００は、表側に向けるシート２０の面を適宜切り替え、室内空間の雰囲気や消費者の好みに応じて製品のデザインを繰り返し変更することができる。
【００３７】
＜構成例＞
次に、本発明の容器入り製品の構成例を説明する。なお、これらの構成例は、図１及び図２に示した殺虫エアゾール製品１００の構成に基づくものであるが、スプレー製品、ボトル製品、缶製品などの他の製品においても適用可能である。
【００３８】
〔構成例１〕
図６は、構成例１に係る殺虫エアゾール製品の側面の分解展開図である。構成例１では、シート２０の第一面２０Ａに印刷されている広告情報２３には、ゴキブリの図柄、並びに商品名及び製造者情報が含まれている。シート２０の第二面２０Ｂに印刷されている図柄等表示情報２４には、ゴキブリの図柄は含まれておらず、商品名及び製造者情報が含まれている。このような構成のため、構成例１では、シート２０の第一面２０Ａを表側に向けると、広告情報２３に含まれるゴキブリの図柄により防除対象の害虫を容易に確認することができる。一方、シート２０を反転させて第二面２０Ｂを表側に向けると、広告情報２３に含まれるゴキブリの図柄が消失するとともに、図柄等表示情報２４に含まれる商品名が出現することで、消費者はゴキブリの図柄により嫌悪感を抱くことなく、室内での製品の保管時や使用時に商品名を容易に確認できるデザインを選択することができる。シート２０は、反転操作を繰り返すことにより、表側に向ける面を第一面２０Ａと第二面２０Ｂとに切替可能であるため、製品のデザインは幾度でも変更することができる。
【００３９】
〔構成例２〕
図７は、構成例２に係る殺虫エアゾール製品の側面の分解展開図である。構成例２では、シート２０の第一面２０Ａには、ゴキブリの図柄を含む広告情報２３に加えて、製品表示情報２７が印刷されている。シート２０の第二面２０Ｂには、ゴキブリの図柄のサイズが小さく抑えられた図柄等表示情報２４に加えて、製品表示情報２７が印刷されている。このような構成のため、構成例２では、製品の販売時に第一面２０Ａを表側に向けた状態とすることで、防除対象の害虫を容易に確認可能な広告情報２３により消費者の注目を惹くことができるとともに、製品表示情報２７を視認できる状態にすることができる。一方、シート２０を反転させて第二面２０Ｂを表側に向けると、小さいサイズのゴキブリの図柄が出現し、消費者に嫌悪感を与え難くなるとともに、製品表示情報２７を視認できる状態にすることができる。このように、第一面２０Ａ及び第二面２０Ｂの何れのデザインを選択した場合にも、製品表示情報を常に表示しておくことができる。
【００４０】
＜別実施形態＞
本発明の容器入り製品は、表側に向けるシートの面を切り替えることで、製品のデザインを繰り返し変更できるという本発明の趣旨を逸脱しない限り、様々な改変が可能である。以下、そのような改変例を別実施形態として説明する。
【００４１】
〔別実施形態１〕
殺虫エアゾール製品１００において、透過領域２５は、シート２０の一部を取り除いたものであってもよい。すなわち、エアゾール缶１０の製品表示情報１１が露出した状態とすることも可能である。この場合、消費者は製品表示情報１１を確実に視認することができる。
【００４２】
〔別実施形態２〕
殺虫エアゾール製品１００において、シート２０に印刷された広告情報２３及び図柄等表示情報２４は、エアゾール缶１０に印刷された情報と重なった状態で一つの図柄となるように構成することも可能である。例えば、容器入り製品１００がハチ用の殺虫エアゾールである場合、エアゾール缶１０に花柄を印刷しておき、広告情報２３を透明な領域の中にハチの図柄を印刷したものとすれば、エアゾール缶１０がシート２０で被覆されている状態でハチが花畑を飛び回っているかのようなイラストとなって消費者の注目を惹くことができる。
【００４３】
〔別実施形態３〕
殺虫エアゾール製品１００において、シート２０は、エアゾール缶１０から除去可能なように構成することも可能である。例えば、固着領域２１と保持領域２２との境界線にシート２０の縦方向に延伸するミシン目を設けた場合、シート２０をミシン目に沿って切除することで、固着領域２１のみを残して、エアゾール缶１０からシート２０を容易に除去することができる。このとき、エアゾール缶１０の表面に、シート２０の第一面２０Ａ及び第二面２０Ｂとは異なる情報を印刷しておくことで、シート２０を巻き替える反転操作に加えて、シート２０をミシン目で切除する除去操作を実施することにより、より多様なデザインで製品を使用することができる。
【産業上の利用可能性】
【００４４】
本発明は、容器に害虫防除製剤を封入したエアゾール製品、スプレー製品、ボトル製品、缶製品などの容器入り製品に利用可能である。
【符号の説明】
【００４５】
１０                        エアゾール缶（容器本体）
１１、２７                  製品表示情報
２０                        シート
２０Ａ                      第一面
２０Ｂ                      第二面
２１                        固着領域
２２                        保持領域
２３                        広告情報
２４                        図柄等表示情報
２５                        透過領域
１００                      殺虫エアゾール製品（容器入り製品）
【図１】
2020093809.tif 000003
【図２】
2020093809.tif 000004
【図３】
2020093809.tif 000005
【図４】
2020093809.tif 000006
【図５】
2020093809.tif 000007
【図６】
2020093809.tif 000008
【図７】
2020093809.tif 000009